(57)【要約】【課題】  装飾性及び興趣性に富む装飾模様を有するセメントブロック及びセメントブロックを用いた構造体を提供する。【解決手段】  セメントと装飾用無機物２２とを混在させて型枠成型することによりセメント成型体２０を形成し、該セメント成型体２０を複数箇所Ｐ１〜Ｐｎ＋１で平行に切断して設けられたブロックのうち、切断平面を対向両面１２１，１２２に有するセメントブロックからなり、該切断平面は、セメントが硬化してなるセメントベース面部１６と、目視できるような大きさの外形輪郭線２４を有する装飾用無機物の切断面部１８と、を含む装飾面１４を形成していることを特徴とするセメントブロック１０から構成される。【選択図】図１
0003115030.tif 000002
【実用新案登録請求の範囲】
【請求項１】
セメントと装飾用無機物とを混在させて型枠成型することによりセメント成型体を形成し、該セメント成型体を複数箇所で平行に切断して設けられたブロックのうち、切断平面を対向両面に有するセメントブロックからなり、
該切断平面は、セメントが硬化してなるセメントベース面部と、目視できるような大きさの外形輪郭線を有する装飾用無機物の切断面部と、を含む装飾面を形成していることを特徴とするセメントブロック。
【請求項２】
高炉スラグ微粉末をセメントとともに混在して形成された請求項１記載のセメントブロック。
【請求項３】
セメントベース面部の色を着色する着色顔料をセメントとともに混在して形成された請求項１または２記載のセメントブロック。
【請求項４】
装飾用無機物は、セメントベース面部の色と対照になる色の有色無機物からなる請求項１ないし３のいずれかに記載のセメントブロック。
【請求項５】
装飾用無機物は、無機廃棄物からなる請求項１ないし４のいずれかに記載のセメントブロック。
【請求項６】
請求項１ないし５のいずれかに記載のセメントブロックを装飾面が面一になるように並べて構成されたセメントブロックを用いた構造体。
【考案の詳細な説明】
【技術分野】
【０００１】
本考案は、例えば、建築物の壁、床、或いは道路、駐車場等の舗装等に用いられるセメントブロック及びセメントブロックを用いた構造体に関する。
【背景技術】
【０００２】
構築物の床や壁、塀等の建材や道路舗装材等として、例えば、セメントと砂、水等を撹拌混合したものを型枠に入れて養生固化して形成されたセメントブロックが広く利用されている。このセメントブロックは、通常はセメントの白色又は灰色の単一色で形成されているから、デザイン性が無く、見るものに無機質感を与えやすい。そこで近時では、景観、デザイン等に考慮して、例えば、セメント等の原料に任意色の顔料を加えて着色した着色ブロックが利用されることも多い。一方、例えば、特許文献１には、セメントブロックの表面にブロックと同じサイズの天然石を接着剤で貼り付ける技術も提案されている。
【特許文献１】特開平１０−１８２０９号公報
【考案の開示】
【考案が解決しようとする課題】
【０００３】
しかしながら、従来の顔料で着色したブロックは、ブロック全体が顔料の色で単一色となって形成されているから、ブロック自体が単調なものであった。したがって、それらを並べて形成される壁等の構造物の表面全体も単調なものとなる結果、依然としてデザイン性に乏しいものであった。また、種々の色に着色したブロックを用意し、色を組み合わせて構造物を構築する場合もあるが、この場合でも、結局は比較的大きなブロック単位でしか色を変化できないので、簡単に装飾性の高い模様等を実現するのは困難であった。さらに、色の組合せ設計や施工作業が煩雑となり、労力が大きく、作業時間もかかり、コストが高くつくという問題もあった。
【０００４】
一方、特許文献１のように表面に天然石を貼り付けたブロックでは、ブロックで構築した壁等の構築物の表面全体が天然石だけの単調なものとなるので、面白味に欠けるものであった。さらに、ブロック製造時には、ブロック成型とは別途に、天然石をブロックと同じサイズに加工する工程と、該天然石を接着剤でブロック表面に貼り付ける工程を必要とするので、工程数も多く、作業が煩雑で、製造コストも高くつくものであった。
【０００５】
本考案は、上記従来の課題に鑑みてなされたものであり、その一つの目的は、装飾性及び興趣性に富む装飾模様を有するセメントブロック及びセメントブロックを用いた構造体を提供することにある。さらに、他の目的は、製造コストを維持しつつ、デザイン性の高いブロックを簡単に製造できるセメントブロック及びセメントブロックを用いた構造体を提供することにある。
【課題を解決するための手段】
【０００６】
上記課題を解決するために本考案は、セメントと装飾用無機物２２とを混在させて型枠成型することによりセメント成型体２０を形成し、該セメント成型体２０を複数箇所Ｐ１〜Ｐｎ＋１で平行に切断して設けられたブロックのうち、切断平面を対向両面（１２１，１２２）に有するセメントブロックからなり、該切断平面は、セメントが硬化してなるセメントベース面部１６と、目視できるような大きさの外形輪郭線２４を有する装飾用無機物の切断面部１８と、を含む装飾面１４を形成していることを特徴とするセメントブロック１０から構成される。セメントブロック１０の装飾面１４の外形輪郭形状は、任意でよく、三角形、矩形形、平行四辺形、五角形、六角形、円形、楕円形等その他任意形状でもよい。さらに、その形状のセメントブロックを形成するのに対応して、セメント成型体２０はその形状を断面にもつ立体形状で型枠形成される。また、装飾用無機物２２を任意の色に着色して利用しても良い。また、混在させる装飾用無機物２２の種類は、１種類だけでもよく複数種類でもよい。また、装飾用無機物２２の大きさもある程度大きさをそろえても良いし、ばらばらの大きさのものを混在させてもよい。
【０００７】
また、高炉スラグ微粉末をセメントとともに混在して形成されたこととしてもよい。
【０００８】
また、セメントベース面部１６の色を着色する着色顔料をセメントとともに混在して形成されたこととしてもよい。
【０００９】
また、装飾用無機物２２は、セメントベース面部１６の色と対照になる色の有色無機物からなることとしてもよい。
【００１０】
また、装飾用無機物２２は、無機廃棄物からなることとしてもよい。
【００１１】
さらに本発明は、請求項１ないし５のいずれかに記載のセメントブロック１０を装飾面１４が面一になるように並べて構成されたセメントブロックを用いた構造体Ｗ、Ｆから構成される。
【考案の効果】
【００１２】
本考案のセメントブロックによれば、セメントと装飾用無機物とを混在させて型枠成型することによりセメント成型体を形成し、該セメント成型体を複数箇所で平行に切断して設けられたブロックのうち、切断平面を対向両面に有するセメントブロックからなり、該切断平面は、セメントが硬化してなるセメントベース面部と、目視できるような大きさの外形輪郭線を有する装飾用無機物の切断面部と、を含む装飾面を形成している構成であるから、装飾用無機物の切断面による独特な装飾模様を形成でき、デザイン性や興趣性の高いブロックを実現できる。さらに、製造も簡単に行なえ、製造コストを維持することができる。また、装飾面が平らな面で形成されるので、床や壁等の構造体を簡単に面一に仕上げることができる。特に、対向両側に装飾面を有しているので、例えば、塀等のように両側に壁面をもつような構造体を構築するのに有利である。また、施工作業も簡便に行える。
【００１３】
また、高炉スラグ微粉末をセメントとともに混在して形成された構成であるから、セメントブロックの強度を増進させるとともに、水密性、化学抵抗性等を向上させうる。さらに、セメントのアルカリ成分と無機物の成分とがある反応して生じるひびや割れ等を良好に抑制できる。
【００１４】
また、セメントベース面部の色を着色する着色顔料をセメントとともに混在して形成された構成であるから、装飾用無機物の切断面部による模様と色の組合せによる相乗的なデザイン性の向上を期待できる。
【００１５】
また、装飾用無機物は、セメントベース面部の色と対照になる色の有色無機物からなる構成であるから、装飾用無機物の切断面部による模様を際立たせて装飾性に優れたセメントブロックを得ることができる。
【００１６】
また、装飾用無機物は、無機廃棄物からなる構成であるから、廃棄物をリサイクルして有効に利用することができる。さらに、材料コストを低減することができる。
【００１７】
さらに、本考案によれば、請求項１ないし５のいずれかに記載のセメントブロックを装飾面が面一になるように並べて構成されたセメントブロックを用いた構造体から構成されるから、装飾性が優れた面白味のある面を有する構造体を簡単に実現できる。
【考案を実施するための最良の形態】
【００１８】
以下、添付図面を参照しつつ本考案のセメントブロック及びセメントブロックを用いた構造体の実施の形態について説明する。本考案のセメントブロックは、例えば、建物の壁、床等の建材、道路舗装材、塀等の外構材、河川護岸等の景観材等に用いられる装飾性に優れたブロックである。
【００１９】
図１ないし図３は、本考案のセメントブロックの実施形態を示している。本実施形態において、セメントブロック１０は、図１に示すように、立体矩形状に形成されており、一組の対向平面１２１、１２２を装飾面１４としている。この装飾面１４は、例えば、図４に示すように、セメントブロック１０を縦横に並べて塀Ｗ等を構築した際の壁面を形成するようになっている。装飾面１４は、セメントが硬化して形成されたセメントベース面部１６と、装飾用無機物の切断面部１８と、を有している。
【００２０】
図２、図３に示すように、本実施形態において、セメントブロック１０は、例えば、セメントと装飾用無機物２２とが混在して硬化した直方体状のセメント成型体２０を切断加工して形成される。セメント成型体２０を切断加工することにより生じる切断平面は、セメント硬化部分が切断されてあらわれるセメントベース面部１６と、装飾用無機物が切断されてあらわれる切断面部１８とを含む平らな面となっている。この切断平面がセメントブロック１０の装飾面１４を形成する。
【００２１】
本実施形態において、セメント成型体２０の硬化材料となるセメントは、例えば、灰色のポルトランドセメント等からなる。本実施形態では、このポルトランドセメントとともに、例えば弁柄等の着色顔料が加えられており、セメント成型体２０のセメント硬化部分は赤色に着色されて形成される。したがって、セメントブロック１０は、セメントベース面部１６が赤色に着色されて形成される。なお、着色顔料としては、赤色の弁柄（酸化鉄）に限らず、例えば、緑色の酸化クロム、青色の酸化コバルト等その他任意の色の顔料を単独で又は混合して用いることとしてもよい。また、必要に応じて、着色顔料を添加することなくセメントベース面部１６をセメントの灰色で形成してもよい。
【００２２】
さらに本実施形態では、ポルトランドセメントとともに、例えば、エスメント（登録商標）等の高炉スラグ微粉末を混在させている。セメントに高炉スラグ微粉末を加えることにより、セメントブロックの長期強度を増進させうる。さらに、セメントブロックの水密性、化学抵抗性等が向上する。また、セメントのアルカリ成分と無機物のある成分とが反応して生じるひびや割れ等を良好に抑制できる。高炉スラグ微粉末の混合割合は、セメントブロックの適用態様に応じて調整するとよい。例えば、セメントブロックを道路舗装等のある程度高い強度が必要な場所に適用する場合には配合量を多くしてもよい。また、白色度の高い高炉スラグ微粉末の混合割合を増加させることにより、着色顔料によるセメントベース面部の着色性が向上して鮮やかな色で着色することができる。
【００２３】
本実施形態では、装飾用無機物２２は、例えば、ある程度の大きさの瓦、軽石、陶石、陶器、磁器等の破片、炭等からなる。これらの瓦、軽石等の装飾用無機物２２は、例えば、建築、土木工事等で廃棄される無機物が好適に用いられる。これにより、廃棄物をリサイクルして有効に利用することができると同時に、材料コストを低減できる。本実施形態では、セメント成型体２０の成型の際には、セメントと高炉スラグ微粉末とを合わせた粉体状材料と装飾用無機物との配合比が例えば、重量比でおよそ１対３の割合で混合されている。なお、この配合割合は任意に設定してもよい。例えば、混在させる瓦、軽石等の装飾用無機物の量を多く設定すると、切断面に装飾用無機物の切断面部１８が密にあらわれやすい。なお、装飾用無機物２２として用いられるものは上記したものの他に、例えば、タイル、レンガ、コンクリートブロック、ガラス、スラグ、溶岩石、シラス等その他任意の無機物、無機廃棄物でもよい。
【００２４】
図２に示すように、上記の装飾用無機物２２は、セメントブロック１０を形成する際にセメント硬化部分とともに切断されて、その切断面部１８により該セメントブロック１０の装飾用模様を形成する。これにより、独特な模様を有して、デザイン性に優れたブロックを形成することができる。本実施形態では、装飾用無機物の切断面部１８は、セメントベース面部１６に対してある程度の大きさのものが複数あらわれるように形成されている。本実施形態では、例えば、切断面部１８は外形輪郭２４が肉眼で分かるような大きさであらわれており、装飾模様としての視覚効果を実効させている。さらに、本実施形態において、装飾用無機物２２は白色系の陶石、陶磁器、軽石又は黒色系の瓦、炭等が混在されており、赤色のセメントベース面部１６に対して切断面部１８が目立つようになっている。すなわち、装飾用無機物は、セメントベース面部１６の色に対して、例えば、色相の差がある色、明暗の差がある色、コントラストがある色、強弱の差がある色等のような対照になる色で設定されており、切断面部の模様を際立たせてデザイン性を向上させる。なお、セメントベース面部１６と装飾用無機物の色の組合せは上記のものに限るものではない。例えば、顔料を添加しないで形成された灰白色のセメントベース面部１６に対して、褐色の焼瓦、黒色系の軽石、炭等の装飾用無機物を選択してもよい。また、セメントベース面部の色と装飾用無機物の色を同系統の色やコントラストが低い色等の組合せで形成することとしてもよい。例えば、赤色のセメントベース面部に対して褐色の焼瓦等からなる無機物の切断面部を形成させることとしてもよい。
【００２５】
上記のように、切断面部１８は、装飾用無機物の大きさ、色、形状或いは混合割合、切断位置等の種々条件によってランダムに変化して形成される。なお、装飾用無機物の種類を選択することにより、セメントブロックに種々の補助的な機能を追加させることができる。例えば、本実施形態では、調湿、消臭、有害物質等の吸着作用等を有する炭等を混ぜたことにより、環境面や健康面に考慮したブロックとして、室内用建材や景観材として有効に適用できる。また、例えば、多孔質の軽石や炭等を混在させたことにより、透水性を有するとともに切断面の微細な凹凸で滑り防止効果が高くなり、例えば、道路舗装材や温泉施設等の床面材等に有効に適用できる。その他、水質浄化作用等を有するものも形成することができる。また、ある程度の大きさの装飾用無機物２２とともに例えば、粒径が数ｍｍ程度になるように細かく破砕した無機廃棄物の粒状体等を混在させることとしてもよい。切断面部による大きな模様と点在する小さな粒子により、相乗的な装飾性の向上を期待できる。
【００２６】
本実施形態では、上記のようなセメント、着色顔料、高炉スラグ微粉末及び装飾用無機物の材料を混合し、例えば、直方体状に構成された型枠に入れて、養生硬化させて直方体状のセメント成型体２０を形成する。図２に示すように、セメント成型体２０を切断する工程では、セメント成型体２０は、例えばダイアモンドカッタの回転鋸等を介して、複数箇所Ｐ１〜Ｐｎ＋１（ｎは自然数）で平行に切断される。図２の実施形態では、直方体状のセメント成型体２０は、例えば、左右端面と平行な鉛直面で等間隔に切断されており、同一形状の立体矩形状の切断ブロック１０１〜１０ｎ、１０Ｌ、１０Ｒが形成される。すなわち、セメントブロック１０の外形形状は、セメント成型体２０の断面形状及び切断間隔の長さにより決定される。したがって、セメント成型体２０は、本実施形態のような直方体に限らず形成するセメントブロック１０の形状に応じて形成される。例えば、装飾面の外形輪郭形状が三角形、五角形、六角形、円形、楕円形等のセメントブロックを形成するのに対応して、セメント成型体２０は断面にその形状をもつ三角柱、五角柱、六角柱、円柱、楕円柱等に形成される。また、切断位置を変更するだけで、薄い平板状のブロックから、厚みのある立体的なブロックまで簡単に製造することができる。本実施形態では、切断により形成された切断ブロックのうち切断平面を対向両面に有する切断ブロック１０１〜１０ｎがセメントブロック１０として有効に利用される。セメントブロック１０は、対向両面１２１，１２２に平らな面の装飾面１４を有することとなり、例えば、塀等の両側に壁面を有する構造体を形成する際に有利である。さらにた、施工時に簡単に面一な面を得やすい。なお、セメントブロック１０の切断平面以外の他の２組の対向面は、型枠の面に当接して形成された面となっている。一方、本実施形態では、切断平面が一面のみにしか形成されていない左右端部の側切断ブロック１０Ｌ、１０Ｒは、セメントブロック１０としては利用されることなく処分される（図３上、Ｓ１８）。なお、この切断端部ブロック１０Ｌ、１０Ｒは、そのまま廃棄しても良いし、適度な大きさに破砕して、他のセメントブロックを形成する際の装飾用無機物として利用することもできる。
【００２７】
本実施形態に係るセメントブロック１０を製造する際には、図３に示すように、まず、セメント、水、装飾用無機物等を含む材料を配合して混合し（Ｓ１０）、混合した材料を型枠に入れてセメント成型体２０を形成する。（Ｓ１２）そして、そのセメント成型体２０を複数箇所で平行に切断する（Ｓ１４）。切断して設けられた切断ブロックのうち対向両面が切断平面となっているブロックのみがセメントブロック１０として選別される（Ｓ１６、Ｓ１８）。
【００２８】
図４、図５には、上記のように形成されたセメントブロック１０を用いて構築された構造体の実施形態を示している。図４には、セメントブロック１０を縦横に積んで形成された塀Ｗが示されている。図４の実施形態では、セメントブロック１０の対向両面の装飾面１４を鉛直方向にした状態でそれらを面一にして並べられ、両面に装飾を有する壁面が形成される。これにより、セメントブロック単体がデザイン性が高い装飾模様を有しているので、ブロックを積むだけで全体的にも独特なデザイン性の高い壁面を実現することができる。さらに、簡単に塀Ｗの両側を有効に装飾することができる。
【００２９】
一方、図５では、建築物内の床側にセメントブロック１０を敷設して床面Ｆを形成した形態を示している。図５の実施形態では、セメントブロック１０のいずれかの装飾面１４を上面として水平になるように面一に敷設されて床面Ｆを形成している。この実施形態でも、独特なデザイン性の高い床面を実現することができる。さらに、セメントブロック１０は、対向両面が切断平面であるから、他の平面仕上げ等の加工工程を経ずとも床面の面一性を得やすく、施工性が良い。なお、セメントブロック１０の装飾面１４は鉛直又は水平の態様に限らず、任意角度の傾斜面に面一になるように並べるようにしてもよい。
【００３０】
以上説明した本考案のセメントブロック及びセメントブロックを用いた構造体は、上記した実施形態のみの構成に限定されるものではなく、実用新案登録請求の範囲に記載した本考案の本質を逸脱しない範囲において、任意の改変を行ってもよい。
【産業上の利用可能性】
【００３１】
本考案のセメントブロック及びセメントブロックを用いた構造体は、例えば、階段、歩道、公園などの景観材、透水ブロック材、河川護岸や水路の景観材、水質浄化材、塀、門柱などの外構材、外壁、内壁、床、土間等の室内又は室外の建材、温泉施設の床材等の建材等に広く適用できる。
【図面の簡単な説明】
【００３２】
【図１】本考案の実施形態に係るセメントブロックの斜視説明図である。
【図２】図１のセメントブロックの製造の概略説明図である。
【図３】図１のセメントブロックの製造流れ図の概略説明図である。
【図４】図１のセメントブロックを用いた構造体の一実施形態の説明図である。
【図５】図１のセメントブロックを用いた構造体の他の実施形態の説明図である。
【符号の説明】
【００３３】
１０  セメントブロック
１４  装飾面
１６  セメントベース面部
１８  切断面部
２０  セメント成型体
２２  装飾用無機物
２４  外形輪郭
【図１】
0003115030.tif 000003
【図２】
0003115030.tif 000004
【図３】
0003115030.tif 000005
【図４】
0003115030.tif 000006
【図５】
0003115030.tif 000007